(57)【特許請求の範囲】
【請求項１】
撮像装置のビューファインダの表示面位置を調節するパン・チルト機構において、
前記撮像装置の上部に配置されパン回転軸を中心としてパン方向に回転可能なパン回転台と、
第１のチルト回転軸を介して前記パン回転台に回動可能に軸支される基端部、前記ビューファインダを回動可能に軸支する第２のチルト回転軸が設けられた先端部、及び、前記基端部と前記先端部との間の中間部からなるアーム部材と、
を備え、
前記アーム部材を前記第１のチルト回転軸回りに回動させ、前記ビューファインダを、撮像装置後方側に位置させたときに前記第２のチルト回転軸中心が前記第１のチルト回転軸中心よりも撮像装置後方側になり、撮像装置前方側で前記撮像装置に近接させたときに前記第２のチルト回転軸中心が前記第１のチルト回転軸中心よりも撮像装置前方側になり且つ前記アーム部材の前記中間部が前記第１のチルト回転軸中心より下方に位置するように、前記アーム部材が略くの字状に形成される、ビューファインダのパン・チルト機構。
【請求項２】
システムエキスパンダー装置を用いてハンディ型カメラのカメラ本体に箱形レンズを組付けた前記撮像装置の前記システムエキスパンダー装置に、前記パン回転台を取付ける構成である請求項１に記載のビューファインダのパン・チルト機構。
【請求項３】
前記アーム部材を、前記ビューファインダ側部に配置されたビューファインダ操作部を避けるように折曲形成した請求項１又は２に記載のビューファインダのパン・チルト機構。
【発明の詳細な説明】
【技術分野】
【０００１】
本発明は、テレビカメラ等の撮像装置に装備されるビューファインダのパン・チルト機構に関する。
【背景技術】
【０００２】
テレビカメラ（撮像装置）には、撮影する映像をカメラ操作者が視認するためのビューファインダが備えられており、撮影方向に応じてビューファインダの表示面位置を視認し易い位置に調整できるようパン・チルト機構が設けられている。従来のパン・チルト機構として、例えば特許文献１に記載されたパン・チルト機構が知られている。特許文献１に記載されたパン・チルト機構は、カメラの後側上部にカメラ前方にスライド可能な固定台を設け、この固定台にパン回転軸とパン回転台を備えたパン機構部を設け、このパン機構部のパン回転台に第１及び第２のチルト回転軸とアーム部材を備えたチルト機構部を設けて構成されている。このパン・チルト機構では、カメラの撮影方向に応じて、固定台をスライドさせて適切なスライド位置に固定し、パン機構部によりパン位置（水平方向の回動位置）を設定した後、チルト機構部によりビューファインダのチルト位置（上下方向の回動位置）と表示面の傾斜角を設定して、カメラ操作者が視認し易い位置にビューファインダの表示面位置を調節するようになっている。
【先行技術文献】
【特許文献】
【０００３】
【特許文献１】特開２００８−２８９０１０号公報
【発明の概要】
【発明が解決しようとする課題】
【０００４】
しかし、特許文献１に記載された従来のパン・チルト機構では、例えば、通常のカメラ位置である水平アングル（水平方向）撮影時のようにビューファインダをカメラ前側にスライドさせた位置に設定するような場合、スライド機構がある分、ビューファインダとカメラの光軸との距離が離れてしまう。また、システムエキスパンダー装置を用いてハンディ型カメラに大型の箱形レンズを接続してスタジオカメラとして利用する場合、システムエキスパンダー装置にパン・チルト機構を取付けることになる。この場合、カメラ形状がスタジオカメラより一回り大きく、カメラ操作者とカメラ後端との距離がスタジオカメラより近くなる。このため、ビューファインダをカメラ後端に位置させてチルトさせると、カメラ操作者からビューファインダの表示面位置までの距離が近くなり過ぎて視野角が狭くなり、ビューファインダの表示画面が視認し難くなる。更には、カメラの撮影方向を、例えば、水平アングルから俯瞰のアングル（下方向）へ変える場合、ビューファインダをカメラ前側からカメラ後端側へスライドさせてからチルトさせるという２つのアクションが必要となる。逆に、カメラの撮影方向を俯瞰のアングルから水平アングルへ変える場合も、チルト操作とスライド操作が必要となる。
【０００５】
このようなことから、システムエキスパンダー装置に取付けて使用する場合でも、カメラの光軸と目線が合うように、ビューファインダの位置を出来るだけカメラの光軸に近くでき、また、視野角が狭くならないようビューファインダまでの距離が近くなり過ぎないようなパン・チルト機構がカメラ操作者から要望されている。
【０００６】
本発明は上記問題点に着目してなされたもので、システムエキスパンダー装置に取付けた場合でも、カメラ操作者の要望を満たすことが可能なビューファインダのパン・チルト機構を提供することを目的とする。
【課題を解決するための手段】
【０００７】
このため、本発明は、撮像装置のビューファインダの表示面位置を調節するパン・チルト機構において、前記撮像装置の上部に配置されパン回転軸を中心としてパン方向に回転可能なパン回転台と、第１のチルト回転軸を介して前記パン回転台に回動可能に軸支される基端部、前記ビューファインダを回動可能に軸支する第２のチルト回転軸が設けられた先端部、及び、前記基端部と前記先端部との間の中間部からなるアーム部材と、を備え、前記アーム部材を前記第１のチルト回転軸回りに回動させ、前記ビューファインダを、撮像装置後方側に位置させたときに前記第２のチルト回転軸中心が前記第１のチルト回転軸中心よりも撮像装置後方側になり、撮像装置前方側で前記撮像装置に近接させたときに前記第２のチルト回転軸中心が前記第１のチルト回転軸中心よりも撮像装置前方側になり且つ前記アーム部材の前記中間部が前記第１のチルト回転軸中心より下方に位置するように、前記アーム部材が略くの字状に形成される、ことを特徴とする。
【発明の効果】
【０００８】
本発明のビューファインダのパン・チルト機構によれば、撮影方向変更時に、第１のチルト回転軸回りにチルト操作するだけで、ビューファインダ位置をカメラの前後方向に移動できるので、スライド機構が不要となり、撮像装置前側で前記撮像装置に近接させてビューファインダを光軸に近づけることができると共に、カメラ操作者との距離も近づき過ぎることがなく、ビューファインダの表示面も視認し易くなる。また、撮影方向変更時に、第１のチルト回転軸回りにチルト操作するだけの１つのアクションで、ビューファインダを所望位置に設定できるので、従来のパン・チルト機構のようにスライド操作とチルト操作の２つのアクションを必要とするものに比べて操作性がよい。
【図面の簡単な説明】
【０００９】
【図１】本発明のパン・チルト機構の一実施形態をテレビカメラに装着した状態を示す側面図である。
【図２】図１のパン・チルト機構の上面図である。
【図３】同上実施形態のパン・チルト機構をカメラ操作者側から見た正面図である。
【図４】同上実施形態のパン・チルト機構をテレビカメラから取外した状態を示す側面図である。
【図５】図４の左側面図である。
【図６】同上実施形態のパン・チルト機構を図１の状態から左水平方向にパン操作した状態を示す図である。
【図７】図６の右側面図である。
【図８】同上実施形態のパン・チルト機構のあおりのアングル（上方向）撮影時のチルト操作例の説明図である。
【図９】同上実施形態のパン・チルト機構の俯瞰のアングル撮影時のチルト操作例の説明図である。
【発明を実施するための形態】
【００１０】
以下、本発明の実施形態を図面に基づいて説明する。
図１〜図３は、本発明のパン・チルト機構の一実施形態を示し、システムエキスパンダー装置を用いてハンディ型カメラをスタジオカメラとして代用した撮像装置に装備した状態を示す図である。図１は側面図であり、図２は上面図であり、図３はカメラ操作者側から見た正面図である。また、図４に、テレビカメラから取外したパン・チルト機構の側面図を示し、図５に図４の左側面図である。
【００１１】
図において、本実施形態のパン・チルト機構１は、テレビカメラ２（撮像装置）の後部に取付けられている。前記テレビカメラ２は、システムエキスパンダー装置３に、ハンディ型カメラのカメラ本体４と大型の箱形レンズ５を組付けて構成したものである。前記システムエキスパンダー装置３は、ハンディ型カメラを放送局等で使用するスタジオカメラとして代用するための装置であり、ハンディ型カメラのカメラ本体４と箱形レンズ５を、カメラマウントプレート３Ａとレンズ取付け部３Ｂにそれぞれ所定の順序で装着すると、レンズ取付け部３Ｂに設けた開口部を通して、箱形レンズ５側の光学マウントに設けられたバヨネットマウントとカメラ本体４側の光学マウントとが連結して撮影可能な状態にセットされ、システムエキスパンダー装置３の後部両側に配置したカメラ操作用パネル３Ｃを操作することにより、ハンディ型カメラをスタジオカメラとして使用できる。
【００１２】
前記パン・チルト機構１は、テレビカメラ２後部においてシステムエキスパンダー装置３上面に装着され、テレビカメラ２に搭載するビューファインダ６の表示面６Ａの位置をカメラ操作者が最適な位置に調節可能とする機構である。パン・チルト機構１は、パン機構部とチルト機構部とから構成されている。
【００１３】
前記パン機構部は、システムエキスパンダー装置３の上面にパン回転軸１１が装着され、このパン回転軸１１を中心としてビューファインダ６をパン方向（水平方向）に回転させるためのパン回転台１２が回動可能に設けられている。尚、図示しないが、パン機構部１Ａには、パン回転台１２の回動動作をロックするためのロック機構が設けられている。
【００１４】
前記チルト機構部は、基端部がパン回転台１２の両端の起立片１２ａ，１２ｂにそれぞれ第１のチルト回転軸１３ａ，１３ｂを介してパン回転台１２に対してチルト方向（垂直方向）に回動可能に軸支された一対のアーム部材１４ａ，１４ｂが設けられ、各アーム部材１４ａ，１４ｂの先端部に第２のチルト回転軸１５ａ，１５ｂがそれぞれ設けられ、第２のチルト回転軸１５ａ，１５ｂを介して一対のアーム部材１４ａ，１４ｂに対してチルト方向（垂直方向）にビューファインダ６を回動可能に軸支している。尚、第１のチルト回転軸１３ａ，１３ｂ部分においては、例えばスラスト圧を加え、更にプランジャーの抜き差しによりアーム部材１４ａ，１４ｂを所定の回動位置で固定できるように構成されている。
【００１５】
前記一対のアーム部材１４ａ，１４ｂは、テレビカメラ２の前方側に凸の略くの字状に折曲形成されている。具体的には、アーム部材１４ａ，１４ｂは、図１に示すように、ビューファインダ６の側部に配置されたビューファインダ操作部６Ｂを避けるように、基端部側から中間部までカメラ前方に向けて第１のチルト回転軸１３ａ，１３ｂの軸中心より斜め下方側に湾曲し、前記中間部から先端部側までカメラ上方側で若干カメラ後方側に向けて湾曲するような略くの字状の形状に折曲形成されている。アーム部材１４ａ，１４ｂを、このような形状とすることで、ビューファインダ６をカメラ前方側に位置させたときに、第２のチルト回転軸１５ａ，１５ｂの軸中心が第１のチルト回転軸１３ａ，１３ｂの軸中心よりもカメラ前方側に位置し、ビューファインダ６をカメラ後方側に位置させたときに、第２のチルト回転軸１５ａ，１５ｂの軸中心が第１のチルト回転軸１３ａ，１３ｂの軸中心よりもカメラ後方側に位置するようになる。
【００１６】
尚、ビューファインダ６としては、例えば、側面にビューファインダ操作部６Ｂや操作用ハンドル６Ｃ等を有し、表示面６Ａの両側部と上部の周縁部にフード６Ｄを設けた液晶表示モニタ等を使用する。
【００１７】
次に、本実施形態のパン・チルト機構１によるビューファインダ６の位置調整方法について説明する。
本実施形態のパン・チルト機構１は、図２に示すように、パン回転軸１１を中心としパン回転台１２がテレビカメラ２の前後方向中心線Ｃから左右水平方向に９０°回動可能であり、左右水平方向の９０°の範囲で任意のパン位置に設定することができる。図６は図２において左水平方向に９０°回動させた状態を示す。図７は、図６の右側面図である。カメラ操作者は、任意のパン位置に設定した後、図示しないロック機構によりパン回転台１２を固定し、次いで、プランジャーを抜いて第１のチルト回転軸１３ａ，１３ｂ回りにアーム部材１４ａ，１４ｂを回動可能な状態とし、ハンドル６Ｃ，６Ｃを持ってビューファインダ６を所望の高さ位置に設定し、プランジャーを差込んでアーム部材１４ａ，１４ｂを第１のチルト回転軸１３ａ，１３ｂに対して固定してビューファインダ６を所定のチルト位置で固定する。その後、第２のチルト回転軸１５ａ，１５ｂ回りにビューファインダ６を図１の矢印Ａ又はＢ方向（図中、上又は下方向）に回動させてビューファインダ６の表示面６Ａの傾斜角を調節してカメラ操作者にとって最適な位置に設定する。
【００１８】
例えば、水平アングル撮影時では、図１に示すように、ビューファインダ６はテレビカメラ２の前方側でカメラ本体４に近接させてセットする。この水平アングル撮影時の状態から、図８に示すあおりのアングル（上方向）の例えば４５°にテレビカメラ２を向けた時には、同図に示すように、アーム部材１４ａ，１４ｂの位置はそのままの位置とし、ビューファインダ６を図１の矢印Ａの方向（図中、上方向）に、第２のチルト回転軸１５ａ，１５ｂ回りにビューファインダ６を回動させ、ビューファインダ６の表示面６Ａがカメラ操作者に正対するようにビューファインダ６の表示面６Ａの位置を調節する。また、図１の水平アングル撮影時の状態から、図９に示す俯瞰のアングルの例えば４５°にテレビカメラ２を向けた時には、同図に示すように、第２のチルト回転軸１５ａ，１５ｂの軸中心が第１のチルト回転軸１３ａ，１３ｂの軸中心よりテレビカメラ後方側に位置するように、第１のチルト回転軸１３ａ，１３ｂ回りにアーム部材１４ａ，１４ｂをテレビカメラ２の後方側に回動させ、その後、ビューファインダ６を図１の矢印Ａの方向に、第２のチルト回転軸１５ａ，１５ｂ回りにビューファインダ６を回動させ、ビューファインダ６の表示面６Ａがカメラ操作者に正対するようにビューファインダ６の表示面６Ａの位置を調節する。
【００１９】
かかる本実施形態のパン・チルト機構１によれば、水平アングル撮影時のように、ビューファインダ６をテレビカメラ２の前方側に位置させたときに、第２のチルト回転軸１５ａ，１５ｂの軸中心が第１のチルト回転軸１３ａ，１３ｂの軸中心よりテレビカメラ前方側に位置するので、ビューファインダ６の位置がカメラ操作者から遠くなり、カメラ操作者の視野角が広くなってビューファインダ６の表示面６Ａが視認し易くなる。また、スライド機構がないので、その分、ビューファインダ６の位置をカメラ本体４に接近させることができ、従来のパン・チルト機構よりも、ビューファインダ６の位置をテレビカメラ２の光軸に近づけることができる。
【００２０】
あおりのアングル撮影時においても、第２のチルト回転軸１５ａ，１５ｂの軸中心が第１のチルト回転軸１３ａ，１３ｂの軸中心よりテレビカメラ前方側に位置することで、スタジオカメラより外形が一回り大きいシステムエキスパンダー装置３を利用したテレビカメラ２であっても、従来のパン・チルト機構のようなアーム部材がＬ字形状の場合に比べて、ビューファインダ６の位置がカメラ操作者に近づき過ぎることがなく、カメラ操作者の視野角を狭めることがないので、ビューファインダ６の表示面６Ａが視認し易い。
【００２１】
また、ビューファインダ６のセット位置を、カメラ前方側（後方側）から後方側（前方側）へ移動操作する場合、第１のチルト回転軸１３ａ，１３ｂ回りにアーム部材１４ａ，１４ｂを回動操作するだけという１つのアクションでよく、従来のパン・チルト機構のようなスライド操作とチルト操作の２つのアクションを必要とする場合に比べて、操作性がよい。
【００２２】
そして、本実施形態のパン・チルト機構によれば、カメラの光軸と目線が合うようにビューファインダの位置を出来るだけカメラの光軸に近づけたい、また、視野角が狭くならないようビューファインダまでの距離をあまり近くしたくない、というカメラ操作者の要望を、スライド機構等のない簡単な構成で満足させることができる。
【００２３】
尚、本実施形態では、アーム部材の形状を、ビューファインダ側部のビューファインダ操作部を避けるために、テレビカメラ前方側に凸の略くの字状に折曲した形状としが、この形状に限るものではなく、ビューファインダをテレビカメラ後方側に位置させたときに第２のチルト回転軸の軸中心が第１のチルト回転軸の軸中心よりもテレビカメラ後方側に位置し、テレビカメラ前方側に位置させたときに第２のチルト回転軸の軸中心が第１のチルト回転軸の軸中心よりもテレビカメラ前方側になるような形状であれば、どのような形状でもよい。
【００２４】
また、本発明のパン・チルト機構は、本実施形態で説明したシステムエキスパンダー装置を適用したテレビカメラに限らず、システムエキスパンダー装置を用いないスタジオカメラにも適用できることは言うまでもない。
【符号の説明】
【００２５】
１    パン・チルト機構
２    テレビカメラ
３    システムエキスパンダー装置
４    カメラ本体
５    箱形レンズ
６    ビューファインダ
６Ａ    表示面
６Ｂ    ビューファインダ操作部
１１    パン回転軸
１２    パン回転台
１３，１３ｂ    第１のチルト回転軸
１４ａ，１４ｂ    アーム部材
１５ａ，１５ｂ    第２のチルト回転軸
【図１】
0005934522.tif 000002
【図２】
0005934522.tif 000003
【図３】
0005934522.tif 000004
【図４】
0005934522.tif 000005
【図５】
0005934522.tif 000006
【図６】
0005934522.tif 000007
【図７】
0005934522.tif 000008
【図８】
0005934522.tif 000009
【図９】
0005934522.tif 000010